(57)【特許請求の範囲】
【請求項１】
弦楽器の弦をはじいて演奏する際に用いる弦楽器演奏補助器具であって、
両端部に係止部材を備える１本の線状部材が用いられ、
前記係止部材同士がひねられて前記線状部材が相互に係止されると共に、前記線状部材が交差する箇所が設けられることによって２つのループを有する８の字状に形成されており、
前記ループの内、弦楽器の弦に当接する弦当接部を含む演奏部となるループを第１のループ、指に巻かれて係止される指巻き部となるループを第２のループとし、前記第１のループを構成する第１の面と前記第２のループを構成する第２の面とが所定の角度を成しており、
前記係止部材は、前記線状部材を係止させる係止手段であり、且つ、ひねる量の調節により前記指巻き部の長さを調節する調節手段であることを特徴とする弦楽器演奏補助器具。
【請求項２】
前記係止部材が、球状であることを特徴とする請求項１に記載の弦楽器演奏補助器具。
【請求項３】
前記演奏部が爪先に引っ掛け可能であるまたは指の腹で押さえつけ可能であることを特徴とする請求項１または請求項２に記載の弦楽器演奏補助器具。
【請求項４】
前記線状部材の一部もしくは全部に、樹脂被膜が形成されていることを特徴とする請求項１から請求項３のいずれか一項に記載の弦楽器演奏補助器具。
【請求項５】
前記線状部材の軸方向に直交する断面の外周形状が多角形であることを特徴とする請求項１から請求項４のいずれか一項に記載の弦楽器演奏補助器具。
【請求項６】
前記多角形が三角形であることを特徴とする請求項５に記載の弦楽器演奏補助器具。
【請求項７】
前記弦当接部が折り曲げられていることを特徴とする請求項１から請求項６のいずれか一項に記載の弦楽器演奏補助器具。
【発明の詳細な説明】
【技術分野】
【０００１】
本発明は弦楽器演奏補助器具に関し、詳しくは弦楽器の弦をはじいて演奏する際に用いる補助器具に関する。
【背景技術】
【０００２】
弦楽器は、弦楽器の弦をはじく、こする、たたくことで演奏できる楽器であり、演奏するには直に弦を指や生爪で触れたり、演奏補助器具を用いて弦をはじいたり、こすったり、たたいたりしている。演奏補助器具としては、三味線の撥やヴァイオリンの弓などがある。【０００３】
ギターのような弦楽器の場合、指や生爪のみによる演奏も可能であるが、ピックなどの演奏補助器具を用いた演奏も一般的である。一般的なピックには、フィンガーピック、サムピックなどの“装着型”とフラットピックなどの“把持型”の種類がある。
指や生爪のみによる演奏は、クラシックギターの演奏などに多く用いられる。しかし、長時間の演奏やアコースティックギターなど金属弦を使用した弦楽器の演奏においては、皮膚、生爪が磨耗する可能性がある。皮膚や生爪の磨耗を防いでギターを演奏するために装着型のフィンガーピック、サムピックなどを指に装着し演奏されることもある。【０００４】
指や生爪、または装着型のフィンガーピック、サムピックを使用した奏法は一般的に、フィンガースタイル奏法と呼ばれる。フィンガースタイル奏法では主に指の屈伸運動によって弦がはじかれる。また、複数の指による複数の弦への対応が可能なため、主旋律、副旋律を同時に演奏することも可能である。このため、フィンガーピック、サムピックを装着しても複数の指によるフィンガースタイル奏法は可能である。しかし一般には、弦をはじく時の指の屈伸運動は一方向に限られているため、早い演奏速度が必要とされる楽曲演奏などにおいては、高度な技術が必要とされる。【０００５】
一方、把持型のフラットピックを二本以上の指でピックを把持して使用した奏法、またはサムピックを装着しフラットピック把持と同様に把持して使用した奏法は、ピック奏法と呼ばれる。ピック奏法では一般的に、手首の屈伸、ひねり運動、または前腕の屈伸運動によって弦がはじかれる。ピック奏法では弦を挟んで両方向から順次にはじくことが可能で、早い演奏速度が必要とされる楽曲演奏への対応が容易である。しかし、ピック奏法では、ピックを持って手首または腕を動かして単一弦が、または複数弦が一括ではじかれるので、複数の旋律を同時に演奏するには適していない。【０００６】
今日では撥弦方法は演奏者により多種多様であり、ピックを用いるピック奏法と、ピック把持に必要とされない他の指によるフィンガースタイル奏法との混合演奏という特殊奏法も存在するが、この奏法はさらに高度な演奏技術が必要とされる。【０００７】
これまでの弦楽器演奏補助器具について、弦楽器演奏時に把持される板状の弦楽器用のピックが特許文献１に開示されている。弦楽器演奏時に親指に装着するサムピックが特許文献２に開示されている。弦をはじく部分に爪が付いたフィンガーピックが特許文献３に開示されている。
【先行技術文献】
【特許文献】
【０００８】
【特許文献１】特開２０１２−１２３３５０号公報
【特許文献２】特開２００７−３６６５号公報
【特許文献３】実開昭５４−３４７２０号公報
【発明の概要】
【発明が解決しようとする課題】
【０００９】
従来のサムピックの一例を図１０に示す。装着型のフラットピックとして使用可能な一般的なサムピックは、演奏部が指の腹と平行になるように固定させて弦をはじくように設計されているため、指に装着した後にサムピックの装着角度を変更することはできない。また、サムピック装着把持によるピック奏法では、図１０の矢印の方向に示す方向の撥弦には問題なく対応できる。しかし、図１０の矢印の方向と反対である体の手前に引き寄せる方向、すなわちギターを持った時の上方向への撥弦運動の際には、装着把持されたサムピックの弦に対しての接触角度によりサムピック自体が弦の内側方向に導かれ引っ掛かる。これにより撥弦運動が停止してしまうことが多い。したがってギターの弦にサムピックが引っ掛かることを防ぐために、意図的に手首、腕の屈伸、ひねり角度を変えるなど撥弦運動を変化させ、サムピック自体が弦の内側に導かれない接触角度での撥弦に対応する必要性が生じる。このため、上下方向からの撥弦運動を順次に繰り返すストローク演奏には構造上適しておらず、人間工学的にも不自然な場合がある。またサイズも固定されているため、演奏者に適した把持スタイルに変えられない。
従来のフィンガーピックの一例を図１１に示す。例えば人指し指に装着する従来のフィンガーピックでは、指の腹位置から指先方向に、弦楽器の弦に当接する弦当接部を設けているため、指の腹を使って図１１の矢印の方向に示す方向の撥弦しか対応できない。このように、指の屈伸運動によって弦がはじかれるようにデザインされているため、ストローク演奏などの手首や前腕の動きによる演奏に対しては構造上適していない。また、弦当接部の位置が固定され、サイズがほぼ固定されている。【００１０】
特許文献１に開示されているようなフラットピックでは、長時間のピック把持による指や筋肉の疲労、また発汗によるピックの滑りや落下など、ピックを把持し続けることへの注意が必要とされる。また、従来の指に装着するピックはピックのサイズが固定され、把持位置も固定されているので、この中から演奏者に適したサイズのものを選択するしかない。さらに、特許文献２に開示されているサムピックでは、ベルトのようなもので親指のサイズに合わせて固定し、溝の間隔でベルトの長さを調整しているものの、無段階調整できるものではないため、演奏者の指のサイズに厳密には合わせにくい。特許文献３に開示されているフィンガーピックもサイズが固定されている。【００１１】
そこで本発明は上記課題を解決するためになされたもので、その目的とするところは、変形して指に装着でき、どのような演奏者の指にも適した位置、角度、サイズに調整してぴったりと合わせることができ、滑りや落下を防止できると共に変形させて様々な撥弦方法に対応できる弦楽器演奏補助器具を提供することにある。
【課題を解決するための手段】
【００１２】
上記目的を達成するため、本発明の弦楽器演奏補助器具は次の構成を備える。すなわち本発明は、弦楽器の弦をはじいて演奏する際に用いる弦楽器演奏補助器具であって、両端部に係止部材を備える１本の線状部材が用いられ、前記係止部材同士がひねられて前記線状部材が相互に係止されると共に、前記線状部材が交差する箇所が設けられることによって２つのループを有する８の字状に形成されており、前記ループの内、弦楽器の弦に当接する弦当接部を含む演奏部となるループを第１のループ、指に巻かれて係止される指巻き部となるループを第２のループとし、前記第１のループを構成する第１の面と前記第２のループを構成する第２の面とが所定の角度を成しており、前記係止部材は、前記線状部材を係止させる係止手段であり、且つ、ひねる量の調節により前記指巻き部の長さを調節する調節手段であることを特徴とする。この構成によれば、線状部材を演奏者の指の太さ、爪の大きさ等に合わせて所望の最適形状に変形し、指に装着させて弦楽器演奏補助器具として用いることができ、弦楽器演奏補助器具の滑りや落下を防止できる。さらに、指に装着しやすく、指に装着した時の安定感が増す。
【００１３】
また、本発明において、前記係止部材が、球状であることが好ましい。これによれば、指に装着する際に、係止部材によって線状部材が指に係止されやすくなるので、指への装着安定感を向上させることができる。
【００１５】
また、本発明において、前記演奏部が爪先に引っ掛け可能であるまたは指の腹で押さえつけ可能であることが好ましい。これによれば、演奏形態に合わせて線状部材を変形させて弦楽器演奏補助器具の形状を変えることができ、フラットピック、サムピック、フィンガーピックなどのピックの代替品として用い、弦楽器を演奏することができる。【００１７】
また、本発明において、前記線状部材の一部もしくは全部に、樹脂被膜が形成されていることが好ましい。これによれば、金属製の線状部材により金属弦の楽器を演奏する際には、樹脂被膜によって金属同士が直接接触することを防ぎ、金属同士の衝突による  “カチッ”と聞こえる、高周波音域を多く含む金属的なアタック音の発生を防ぐことができる。また、生爪、指先による演奏や従来の弦楽器演奏補助器具による演奏と同等のアタック音を発生させることができる。【００１８】
また、本発明において、前記線状部材の軸方向に直交する断面の外周形状が多角形であることが好ましい。これによれば、線状部材と指との接触面の面積が大きくなり、線状部材を指に装着させて演奏してもぐらつかずに安定させることができる。【００１９】
また、本発明において、前記多角形が三角形であることが好ましい。これによれば、弦当接部断面における弦との当接箇所を、より角度の小さい鋭角にすることができる。鋭角にすることで演奏者による弦楽器演奏補助器具の操作により、弦をはじく際の力の強弱によって弦に対しての力の加減を調整できて繊細な音質を表現し易くすることができる。【００２０】
また、本発明において前記弦当接部が折り曲げられていることが好ましい。これによれば、弦楽器の弦をはじき易い形状であり、弦当接部の耐衝撃性が増して変形しにくくなり、演奏時における衝撃でも耐えられる。
【発明の効果】
【００２１】
本発明に係る弦楽器演奏補助器具によれば、変形して指に装着でき、どのような演奏者の指にも適した位置、角度、サイズに調整してぴったりと合わせることができて装着した時の安定感が増し、滑りや落下を防止できる。
【図面の簡単な説明】
【００２２】
【図１】図１Ａおよび図１Ｂは、本発明の実施形態に係る弦楽器演奏補助器具の一例を示し、線状部材を変形させた例であり、図１Ａは指に装着して手の指の側面から見た状態、図１Ｂは図１Ａの線状部材から指を取り外した状態の説明図である。
【図２】図２Ａおよび図２Ｂは、本発明の実施形態に係る弦楽器演奏補助器具の一例を示し、線状部材を変形させた例であり、図２Ａは指に装着して手の指の腹側から見た状態、図２Ｂは図２Ａの線状部材から指を取り外した状態の説明図である。
【図３】図３Ａおよび図３Ｂは、本発明の実施形態に係る弦楽器演奏補助器具の一例を示し、線状部材を変形させた例であり、図３Ａは指に装着して手の爪の甲側から見た状態、図３Ｂは図３Ａの線状部材から指を取り外した状態の説明図である。
【図４】本発明の実施形態に係る線状部材の一例を示す説明図である。
【図５】本発明の実施形態に係る弦楽器演奏補助器具の一例を示し、線状部材を変形させた他の例であり、親指に装着した状態の説明図である。
【図６】図６Ａ〜図６Ｃは、本発明の実施形態に係る樹脂被膜が形成された線状部材の軸方向に直交する断面の形状を示す説明図である。
【図７】図７Ａおよび図７Ｂは、本発明の実施形態に係る弦楽器演奏補助器具の一例を示し、線状部材を変形させた他の例であり、図７Ａは人指し指に装着して手の指の腹側から見た状態、図７Ｂは人差し指に装着して演奏部を親指で把持した状態の説明図である。
【図８】図８Ａおよび図８Ｂは、本発明の実施形態に係る弦楽器演奏補助器具の一例を示し、線状部材を変形させた他の例であり、図８Ａは指に装着して手の爪の甲側から見た状態、図８Ｂは指に装着して手の指の腹側から見た状態の説明図である。
【図９】本発明の実施形態に係る弦楽器演奏補助器具の一例を示し、ギターの演奏時における装着方法、撥弦方法の一例を示す。
【図１０】従来のサムピックを示し、ギターの演奏時における装着方法、撥弦方法の一例を示す。
【図１１】従来のフィンガーピックを示し、ギターの演奏時における装着方法、撥弦方法の一例を示す。
【発明を実施するための形態】
【００２３】
以下、図面を参照して、本発明の実施形態を詳細に説明する。
【００２４】
図１Ａおよび図１Ｂ、図２Ａおよび図２Ｂ、図３Ａおよび図３Ｂには本発明の実施形態に係る弦楽器演奏補助器具１０の一例を示し、いずれも線状部材１２を変形させた例であり、手の指に装着した状態と、変形した線状部材１２から指を取り外した状態とを示す。図１Ａおよび図１Ｂ、図２Ａおよび図２Ｂ、図３Ａおよび図３Ｂに示した線状部材１２は親指以外の指に装着している時の例であり、図１Ａおよび図１Ｂは手の指の側面から見た状態、図２Ａおよび図２Ｂは手の指の腹側から見た状態、図３Ａおよび図３Ｂは手の爪の甲側から見た状態である。ただし、ねじられた線状部材１２が重なり交差する箇所Ｘは、図１Ａおよび図１Ｂ、図３Ａおよび図３Ｂと比較して重なり方が異なるが、いずれの場合でも弦楽器演奏補助器具１０として用いることができる。
【００２５】
本実施形態の特徴は線状部材１２を、弦楽器を演奏する際に用いる弦楽器演奏補助器具１０とすることであり、これは従来とは異なる形態であり、用いる線状部材１２は変形されて指に装着可能で形状保持可能である。指に装着可能で形状保持可能であるため、演奏時には線状部材１２が変形することがなく弦楽器の弦をはじくことができ、弦楽器演奏補助器具１０として問題なく使用できる。さらに、線状部材１２の形状を変えれば演奏方法の違い、フラットピックやサムピック等のピックの違いにも対応でき、親指、人差し指、他の指にも装着できる。
【００２６】
指に装着できれば線状部材１２をどのように変形しても構わないが、演奏者の指の太さや爪の大きさ等、指の形状に合わせて線状部材１２の形状を調整する。線状部材１２は曲げたり、線状部材１２を互いにひねったりして形状を変化させることができる。これは、従来の演奏者の指の太さに合わせてベルトの穴や溝の間隔で長さを調整するものとは異なり、線状部材１２のどの箇所でも変形できるため無段階調整ができるということである。これにより、従来の装着できる指を親指用や人差し指用と限定していたピックとは異なり、線状部材１２を任意の形状に変形させてどの指にも装着できる。演奏者の指に装着された線状部材１２は、演奏者が極僅かな指の大きさと弦楽器演奏補助器具１０との大きさのズレを気にすることなく演奏に集中でき、弦楽器演奏補助器具１０の滑りや落下を防止できる。
【００２７】
線状部材１２の両端には、両端を相互に係止可能な係止部材１４が一体もしくは別体に設けられていてもよい。互いの係止部材１４を係止させるために、係止部材１４付近の線状部材１２をひねって変形させてもよい。係止部材１４を設けることにより、係止部材１４を押さえながらひねりやすくなり、線状部材１２を変形させて互いが係止されやすくなる。また、係止部材１４によって変形させやすいので、線状部材１２の長さ調整がしやすく、指に対して無段階調整しやすい。これにより、互いに係止された係止部材１４は、演奏中に外れることがなく、弦楽器演奏補助器具１０は指に装着し続けられて装着している時の安定感が増す。さらに、互いに係止された係止部材１４を指で押さえながらひねれば容易に指から外すことができる。なお、係止部材１４の形状は特に限定されないが、一例として図１Ａおよび図１Ｂ、図２Ａおよび図２Ｂ、図３Ａおよび図３Ｂに示すような球状とすればよい。
【００２８】
図４に本発明の実施形態に係る線状部材１２の一例を示し、この図に示す線状部材１２は指に装着されていない状態である。図４に示す線状部材１２の形状は、商品として提供する時のように演奏者の指に装着して使用する前の状態であり、図１Ａおよび図１Ｂ、図２Ａおよび図２Ｂ、図３Ａおよび図３Ｂに示す線状部材１２のように変形させて指に装着する前である。なお、演奏後にこの状態に戻して収納してもよい。この状態では、係止部材１４は線状部材１２の両端にあってもよく、線状部材１２が係止部材１４を貫通していて線状部材１２の途中にあってもよい。また、必ずしも線状部材１２の両端に一体に設けられていなくてもよく、線状部材１２とは別体に設けて商品として流通させてもよく、線状部材１２を変形後に係止部材１４を取り付けてもよい。係止部材１４を線状部材１２の両端に一体に設けることにより、線状部材１２の端部によるけがを防止でき、商品として流通させる時には、包装材を破損することがない。係止部材１４の大きさは、演奏者にとって不都合にならない大きさであれば問題なく、特に限定されない。線状部材１２の長さは特に限定されないので、演奏者の指のサイズ、装着スタイルに合わせて線状部材１２を任意の長さに切断し使用することも可能である。
【００２９】
線状部材１２がねじって変形されることにより、少なくとも２つのループが形成される。形成されたループの内、１つは第１のループ１８Ａとして弦楽器の弦に当接する弦当接部１６を含む演奏部１８となる。形成されたループで第１のループ１８Ａ以外となるループの内、１つは第２のループ２０Ａとして指に巻かれて係止される指巻き部２０となる。ループ状に変形することで、指に巻いて係止させることができる。さらに、一本の線状部材１２から成るので演奏部１８と指巻き部２０とが一体となり、演奏者によって指の全体の形状が異なっていても線状部材１２を指の形状に合わせて巻き付けて装着できる。ループを形成して巻き付けることにより、指と線状部材１２とが互いに触れてぐらつくことなく、演奏中も含めて指に装着した時の安定感が増す。
【００３０】
第１のループ１８Ａを構成する第１の面と前記第２のループ２０Ａを構成する第２の面とが角度を持って交差している。より具体的には図１Ａおよび図１Ｂに示すように、第１の面と第２の面とは同一面上になく、線状部材１２が重なり交差する箇所Ｘ付近において屈曲したような形状であり、角度θを有する。これにより、線状部材１２を指に巻きながら、形成されたループを指巻き部２０とし、演奏部１８で弦楽器を演奏することができる。
【００３１】
図５に本発明の実施形態に係る弦楽器演奏補助器具１０の他の例を示し、図１Ａおよび図１Ｂ、図２Ａおよび図２Ｂ、図３Ａおよび図３Ｂの実施形態とは異なる例であり、線状部材１２は親指に装着されている。図１Ａおよび図１Ｂ、図２Ａおよび図２Ｂ、図３Ａおよび図３Ｂ、図５に示す変形された線状部材１２の演奏部１８は、爪先に引っ掛け可能、または指の腹で押さえつけ可能である。図１Ａおよび図１Ｂ、図３Ａおよび図３Ｂに示す線状部材１２を変形させた例では、演奏部１８の一部を爪先のＹにおいて引っ掛けることができる。これにより、演奏部１８を指に引っ掛けながら演奏できるので、演奏時に演奏部１８がぐらつかず、弦楽器演奏補助器具１０として、弦を強くはじいて演奏できる。また、図５に示す線状部材１２の例では、線状部材１２が重なり交差する箇所Ｘおよび演奏部１８が指の腹側にあり、演奏部１８を指の腹で押さえつけて、弦当接部１６で演奏可能である。
【００３２】
さらに、図１Ａおよび図１Ｂ、図２Ａおよび図２Ｂ、図３Ａおよび図３Ｂの実施形態では弦当接部１６の位置が爪先になるように、線状部材１２が変形されているが、図５の例では弦当接部１６の位置を爪先から爪の脇に向かって変形されている。弦当接部１６の位置を変えて、図１Ａおよび図１Ｂ、図２Ａおよび図２Ｂ、図３Ａおよび図３Ｂに示すように線状部材１２を変形させれば、フィンガーピックを装着した時のように演奏ができる。また、図５のように線状部材１２を変形させれば、親指に装着しながら人差し指で演奏部１８を把持してフラットピックを把持する時のように演奏ができる。
【００３３】
線状部材１２における重ね合わせ部分が相互にひねられて指巻き部２０の長さが調節される。また、この時に線状部材１２に設けられた係止部材１４をひねってもよい。ひねることによって線状部材１２または係止部材１４が互いに係わり合い、指の太さ、形状に合わせて指巻き部２０の長さが調整されて無段階調整される。また解くことも容易である。これにより、演奏者の好みに応じて都合よく演奏し易いよう任意の形状に適宜合わせられる。
【００３４】
図６Ａ〜図６Ｃには本発明の実施形態に係る線状部材１２の軸方向に直交する断面形状を示し、線状部材１２の周囲には樹脂被膜２２が形成され、線状部材１２の一部もしくは全部には、樹脂被膜２２が形成されている。演奏時には弦に線状部材１２を衝突させてはじくことにより弦楽器を奏でるが、線状部材１２の材料表面が金属の場合には、金属弦の楽器を演奏する時に、金属同士の衝突による“カチッ”と聞こえる高周波音域を多く含むアタック音が発生しやすい。そこで、線状部材１２の少なくとも弦当接部１６に樹脂被膜２２を施すことにより、金属同士の衝突によるアタック音を防ぐことができる。これにより、生爪、指先による撥弦音、ピックによる撥弦音と似たアタック音を発音させることができる。
【００３５】
図６Ａは、軸方向に直交する断面の外周形状が円形である線状部材１２であり、樹脂被膜２２が円形状に形成されている。好ましくは線状部材１２の軸方向に直交する断面の外周形状が多角形であり、樹脂被膜２２が形成された線状部材１２の軸方向に直交する断面の外周形状が多角形であってもよい。樹脂被膜２２は線状部材１２の周囲を覆って形作られ、線状部材１２の表面形状を様々な形にすることができる。線状部材１２の軸方向に直交する断面の外周形状、または樹脂被膜２２が形成された線状部材１２の軸方向に直交する断面の外周形状が多角形であると指に装着した時の安定感が増し、演奏時にぐらつかず思い通りの演奏ができる。
【００３６】
また、図６Ｂ、図６Ｃに示すように樹脂被膜２２が形成された箇所の軸方向に直交する断面形状が三角形であることがより好ましい。樹脂被膜２２が形成された線状部材１２の当接箇所、すなわち弦楽器の弦と接する箇所の軸方向に直交する断面形状が、直線、鈍角、外側に膨らむ円弧よりも鋭角である方が弦楽器の弦をはじき易くなる。これにより、演奏者の弦楽器演奏補助器具１０を操作する時の微妙な動きにより、繊細で豊かな音質表現がし易くなる。
【００３７】
また、線状部材１２の軸方向に直交する断面の大きさは特に限定されず、変形させて固定可能な大きさであればよく、爪先に引っ掛けて演奏するのであれば、爪と指の間に収まる大きさであればよい。同様に樹脂被膜２２の厚さも限定されない。樹脂被膜２２の形成方法は、熱収縮するチューブを線状部材１２にはめて熱をかけて皮膜させてもよく、ディッピングによって皮膜させてもよい。また、線状部材１２の断面形状としては、押出成形のような方法で成形されれば、断面の形状を円形や多角形にすることができる。
【００３８】
弦楽器演奏補助器具１０の弦楽器の弦と接する弦当接部１６が軸方向における途中部分で折り曲げられていてもよい。本実施形態の弦楽器演奏補助器具１０は弦当接部１６を爪先の中央にして演奏する奏法やサムピックのように弦当接部１６を爪の脇から出して用いる奏法にも用いることができる。各演奏形態に合わせて指における弦当接部１６の位置を変えることができ、線状部材１２を指に巻いて装着する時に、弦当接部１６を目印として線状部材１２を変形させて指に装着させやすくなる。また、弦当接部１６が軸方向における途中部分で折り曲げられることにより、弦当接部１６の耐衝撃性が増して変形しにくくなり、演奏時における弦をはじく衝撃でも耐えられ、演奏に不都合なことはない。
【００３９】
本実施形態の弦楽器演奏補助器具１０は、様々な奏法に対する演奏時におけるピックの把持の仕方に対応できる。また、本実施形態の弦楽器演奏補助器具１０は、線状部材１２を変形して指に装着するので爪に接着剤を塗る付け爪や爪先に固定器具を直接取り付けるものとは異なり、生爪自体への負担が少ない。
【００４０】
図７Ａおよび図７Ｂに本発明の実施形態に係る弦楽器演奏補助器具１０の他の例を示し、人指し指に装着して演奏部１８を親指で把持した状態である。図５および図７Ａおよび図７Ｂは、図１Ａおよび図１Ｂ、図２Ａおよび図２Ｂ、図３Ａおよび図３Ｂに示した例とは異なり、線状部材１２をねじって線状部材１２が重なり交差する箇所Ｘは２箇所ある。一回ねじったものをさらにねじることで線状部材１２が重なり交差する箇所Ｘの数が増えて屈曲する箇所の形状が安定し、演奏部１８と指巻き部２０をそれぞれ構成する第１の面と第２の面との交差する角度が保たれやすくなる。これにより、演奏中に演奏部１８で弦をはじいても線状部材１２の形状が安定して演奏し易い。線状部材１２の形状が安定することは、図５に示す親指に線状部材１２を装着した場合でも同様に示される効果であり、演奏部１８がぐらつかず安定する。
【００４１】
図８Ａおよび図８Ｂに本発明の実施形態に係る弦楽器演奏補助器具１０の他の例を示し、線状部材１２を変形させた例である。図８Ａおよび図８Ｂは親指に弦楽器演奏補助器具１０を装着したものである。弦当接部１６を爪の脇に向けて変形させることにより、指の腹で押さえつけてサムピックの装着、把持のように演奏ができる。図８Ａおよび図８Ｂは、線状部材１２をねじって線状部材１２が重なり交差する箇所Ｘは１箇所であるが、図５に示す線状部材１２のように、Ｘが２箇所以上あってもよい。
【００４２】
本実施形態の弦楽器演奏補助器具１０は演奏形態に合わせてその利用方法は様々であり、図１Ａおよび図１Ｂ、図２Ａおよび図２Ｂ、図３Ａおよび図３Ｂ、図５、図７Ａおよび図７Ｂ、図８Ａおよび図８Ｂに示した例に限定されない。線状部材１２を変形してできた弦楽器演奏補助器具１０は図５、図８Ａおよび図８Ｂのように親指、図１Ａおよび図１Ｂ、図２Ａおよび図２Ｂ、図３Ａおよび図３Ｂ、図７Ａおよび図７Ｂのように親指以外の指にも装着できるものであり、演奏部１８は爪先（図１Ａおよび図１Ｂ、図２Ａおよび図２Ｂ、図３Ａおよび図３Ｂ）に爪先に引っ掛け可能、または指の腹（図５、図７Ａおよび図７Ｂ、図８Ａおよび図８Ｂ）で押さえつけ可能である。このことから、線状部材１２が重なり交差する箇所Ｘの位置は指の爪側（図１Ａおよび図１Ｂ、図２Ａおよび図２Ｂ、図３Ａおよび図３Ｂ）、指の腹側（図５、図７Ａおよび図７Ｂ）、指の脇（図８Ａおよび図８Ｂ）などどの位置でもいい。さらに、係止部材１４も指の爪側（図５、図７Ａおよび図７Ｂ、図８Ａおよび図８Ｂ）、指の腹側（図１Ａおよび図１Ｂ、図２Ａおよび図２Ｂ、図３Ａおよび図３Ｂ）や指の脇など演奏者にとって都合の良い位置にあればよい。ただし、親指に装着する場合、係止部材１４が指の腹側にあると演奏時に係止部材１４が弦に引っ掛かってしまう可能性があるので、係止部材１４が引っ掛からない場所となるように変形して配置すればよい。これらのことから、フィンガースタイル奏法、ピック奏法やこれらを組み合わせた演奏など様々な演奏方法にも対応でき、複数本の指に付けて複雑な演奏や高度な技術が必要な演奏にも対応できる弦楽器演奏補助器具１０である。
【００４３】
図９に本発明の実施形態に係る弦楽器演奏補助器具の一例を示し、ギターの演奏時における装着方法、撥弦方法の一例を示す。図９は、図１１に示す従来のフィンガーピックとは異なり、指を左右から覆う形で線状部材１２を装着し、指先に弦当接部を設けているため、図９の矢印方向に示す指の両横方向への撥弦に対応できる。
【００４４】
本実施形態の弦楽器演奏補助器具１０に用いる線状部材１２は特に限定されないが、形状保持可能な金属線を用いることが好ましく、ステンレス３１６Ｌ、ピアノ線、鉄などの磁性体材料や銅、ニッケル等の金属線を用いることができる。また、樹脂皮膜の素材として、耐摩耗性、耐衝撃性に優れた材料、合成樹脂（プラスチック）を用いることができ、具体的にはフッ素樹脂、ポリアミド系樹脂を用いてもよい。より具体的には、ポリアセタール、ポリプロピレン、高密度ポリエチレン、ポリ塩化ビニール、カイナー（登録商標）、ナイロンを用いてもよい。係止部材１４の材質は、金属素材、具体的にはステンレス３１６Ｌ、鉄などの磁性体材料、または合成樹脂、合成ゴムでもよい。
【００４５】
以上、説明されるように、本発明に係る弦楽器演奏補助器具１０によれば、従来のピックが有していた以下の問題点を解決する。従来のフラットピックは把持し続けることで疲労が蓄積しやすく、発汗による滑りなどで落下しやすい。また、従来のサムピックは指に装着する部分のサイズや把持部分の位置が固定され、装着角度は変更不可能であるので、把持の仕方を変えることができない。また、従来のフィンガーピックは手首または腕を動かして演奏するストローク演奏には不向きであり、把持部分の位置が固定され、サイズが固定されている。しかし、本発明に係る弦楽器演奏補助器具１０は指で把持しなくて装着するので、滑りや落下を防止し、フィンガースタイル奏法とピック奏法を融合し演奏することができる。さらに、どのような演奏者の指にも適した位置、角度、サイズに調整してぴったりと合わせることができる。他にも、様々な撥弦方法に対応して、様々な演奏方法に対応できる。
【要約】
変形して指に装着でき、どのような演奏者の指にも適した位置、角度、サイズに調整してぴったりと合わせることができ、滑りや落下を防止できると共に変形させて様々な撥弦方法に対応できる弦楽器演奏補助器具を提供することを課題とする。
解決手段として、本発明に係る弦楽器演奏補助器具１０は、弦楽器の弦をはじいて演奏する際に用いる弦楽器演奏補助器具１０であって、変形して指に装着可能で形状保持可能な線状部材１２を備えて成る。【図１】
0005429508.tif 000002
【図２】
0005429508.tif 000003
【図３】
0005429508.tif 000004
【図４】
0005429508.tif 000005
【図５】
0005429508.tif 000006
【図６】
0005429508.tif 000007
【図７】
0005429508.tif 000008
【図８】
0005429508.tif 000009
【図９】
0005429508.tif 000010
【図１０】
0005429508.tif 000011
【図１１】
0005429508.tif 000012